(57)【要約】【課題】セル内の周波数利用効率を向上させる。【解決手段】基地局装置１０において、セル３０内に存在する移動機２０ａ〜２０ｃそれぞれについて、最大Ｓ／Ｎ比と、該最大Ｓ／Ｎ比を有するパスの移動量とに基づいて、伝送レートを決定する。【選択図】図１
2008252238.tif 000002
【特許請求の範囲】
【請求項１】
複数の移動機と、該移動機と通信を行う基地局装置とを有し、前記基地局装置が前記複数の移動機からのデータの伝送レートを決定して通信を行う移動通信システムにおいて、
前記基地局装置は、前記複数の移動機それぞれについて、最大Ｓ／Ｎ比と、該最大Ｓ／Ｎ比を有するパスの移動量とに基づいて、前記伝送レートを決定することを特徴とする移動通信システム。
【請求項２】
請求項１に記載の移動通信システムにおいて、
前記基地局装置は、前記最大Ｓ／Ｎ比が所定の閾値以上であり、かつ、前記パスの移動量が所定の閾値以下である場合に前記伝送レートを上げ、それ以外の場合に前記伝送レートを下げることを特徴とする移動通信システム。
【請求項３】
自セル内に存在する複数の移動機からのデータの伝送レートを決定して前記複数の移動機と通信を行う基地局装置であって、
前記複数の移動機それぞれについて、最大Ｓ／Ｎ比と、該最大Ｓ／Ｎ比を有するパスの移動量とに基づいて、前記伝送レートを決定するスケジューリング手段を有する基地局装置。
【請求項４】
請求項３に記載の基地局装置において、
前記スケジューリング手段は、前記最大Ｓ／Ｎ比が所定の閾値以上であり、かつ、前記パスの移動量が所定の閾値以下である場合に前記伝送レートを上げ、それ以外の場合に前記伝送レートを下げることを特徴とする基地局装置。
【発明の詳細な説明】
【技術分野】
【０００１】
本発明は、移動通信システム及び基地局装置に関し、特に、上り信号の制御技術に関する。
【背景技術】
【０００２】
近年、移動通信システムにて主流となりつつあるＣＤＭＡ（Code Divisional Multiple Access）移動通信システムにおいては、基地局装置からのスケジューリングに応じて移動機が大容量のデータを高速で通信する方法が検討されている。
【０００３】
図３は、移動通信システムの一例を示す図である。
【０００４】
図３に示すように、本例においては、基地局装置１１０が形成するセル１３０に、複数の移動機１２０ａ〜１２０ｃが存在し、各移動機１２０ａ〜１２０ｃがそれぞれ基地局装置１１０に対して上りの高速データ通信を行っている。
【０００５】
基地局装置１１０は、形成しているセル１３０のノイズ量を算出し、そこから高速データ通信に割り当て可能な伝送レートを算出し、セル１３０内の各移動機１２０ａ〜１２０ｃに最大伝送レート情報１４０を報知する。また、基地局装置１１０は、各移動機１２０ａ〜１２０ｃからのデータ転送要求等に応じて、移動機１２０ａ〜１２０ｃ毎に伝送レートを制御し、伝送レート情報１５０ａ〜１５０ｃを移動機１２０ａ〜１２０ｃ毎に送信する。
【０００６】
このようなＣＤＭＡ移動通信システムにおいては、チャネル品質に応じてスケジューリングを行うことが考えられている（例えば、特許文献１参照。）。
【特許文献１】特表２００６−５１８１７３号公報
【発明の開示】
【発明が解決しようとする課題】
【０００７】
一般的に、移動通信においては、移動機によって伝播環境が異なり、１つの基地局装置が形成するセル内において、伝播環境が良い移動機と伝播環境が悪い移動機とが混在している。伝播環境が悪い移動機が大容量のデータを高速で通信する場合、基地局装置から報知された最大伝送レート情報に応じてデータを転送することになるが、伝播路での劣化により、基地局装置がデータを正しく受信できない場合がある。
【０００８】
このような移動機が多く存在する場合、データの再送が発生し、セル全体としてみるとノイズ量が増大する結果となる。そして、ノイズ量が増大すると、セル全体の最大伝送レートを落とす必要があり、結果的にそのセルの周波数利用効率が低下してしまうという問題点がある。
【０００９】
また、特許文献１に記載されたもののように、チャネル品質に応じてスケジューリングを行うものにおいては、それだけでは周波数利用効率を格段に向上させることができるとは言いがたい。
【００１０】
本発明は、上述したような従来の技術が有する問題点に鑑みてなされたものであって、セル内の周波数利用効率を向上させることができる移動通信システム及び基地局装置を提供することを目的とする。
【課題を解決するための手段】
【００１１】
上記目的を達成するために本発明は、
複数の移動機と、該移動機と通信を行う基地局装置とを有し、前記基地局装置が前記複数の移動機からのデータの伝送レートを決定して通信を行う移動通信システムにおいて、
前記基地局装置は、前記複数の移動機それぞれについて、最大Ｓ／Ｎ比と、該最大Ｓ／Ｎ比を有するパスの移動量とに基づいて、前記伝送レートを決定することを特徴とする。
【００１２】
上記のように構成された本発明においては、移動機から基地局装置にデータを高速で通信する前に、基地局装置において、移動機の最大Ｓ／Ｎ比と、最大Ｓ／Ｎ比を有するパスの移動量とに基づいて、移動機の伝送レートが決定し、その伝送レートで移動機からデータが通信されることになる。
【発明の効果】
【００１３】
以上説明したように本発明においては、基地局装置において、複数の移動機それぞれについて、最大Ｓ／Ｎ比と、該最大Ｓ／Ｎ比を有するパスの移動量とに基づいて、伝送レートを決定する構成としたため、伝播環境が悪い移動機の上り信号の伝送レートが抑えられ、上り送信における再送制御が抑制され、周波数利用効率を向上させることができる。
【発明を実施するための最良の形態】
【００１４】
以下に、本発明の実施の形態について図面を参照して説明する。
【００１５】
図１は、本発明の移動通信システムの実施の一形態を示す図であり、（ａ）は全体の構成を示す図、（ｂ）は（ａ）に示した基地局装置１０の構成を示すブロック図である。
【００１６】
本形態は図１（ａ）に示すように、基地局装置１０と、基地局装置１０のセル３０内に存在する３つの移動機２０ａ〜２０ｃとから構成されている。なお、本形態においては、セル３０内に３つの移動機２０ａ〜２０ｃしか存在していないが、実際には多数の移動機が存在している。
【００１７】
基地局装置１０は図１（ｂ）に示すように、移動機２０ａ〜２０ｃとの間にてデータを送受信するためのアンテナ１１と、受信部１２と、パス検出部１３と、伝播環境推定部１４と、スケジュール手段である上り信号スケジューラ部１５と、受信部１６とから構成されている。
【００１８】
パス検出部１３は、受信部１２にて受信した上りパイロット信号と、拡散コード、スクランブリングコード及びパイロット信号を乗算したレプリカ信号との相関計算を行って移動機２０ａ〜２０ｃ毎の遅延プロファイル情報を生成し、その遅延プロファイル情報を用いてセル３０の半径分の伝播遅延からパス位置を算出する。
【００１９】
伝播環境推定部１４は、パス検出部１３にて生成された遅延プロファイル情報を参照し、移動機２０ａ〜２０ｃ毎に、Ｓ／Ｎ比が最大となるパスを検索する。そして、遅延プロファイル情報によって示される前回の最大Ｓ／Ｎ比を有するパスの伝播遅延量を保持しておき、保持している伝播遅延量と現在の最大Ｓ／Ｎ比を有するパスの伝播遅延量との差分から、最大Ｓ／Ｎ比を有するパスの移動量を算出する。そして、現在の最大Ｓ／Ｎ比とパスの移動量とを上り信号スケジューラ部１５に通知する。
【００２０】
上り信号スケジューラ部１５は、伝播環境推定部１４から通知された最大Ｓ／Ｎ比と、最大Ｓ／Ｎ比を有するパスの移動量とに基づいて、移動機２０ａ〜２０ｃ毎に伝送レートを決定する。
【００２１】
以下に、上記のように構成された移動通信システムにおける上り信号制御方法について説明する。
【００２２】
図２は、図１に示した移動通信システムにおける上り信号制御方法を説明するための図である。
【００２３】
移動機２０ａ〜２０ｃからのパイロット信号がアンテナ１２を介して受信部１２にて受信されると（ステップＳ１）、まず、パス検出部１３において、受信部１２にて受信したパイロット信号と、拡散コード、スクランブリングコード及びパイロット信号を乗算したレプリカ信号との相関計算が行われ（ステップＳ２）、移動機２０ａ〜２０ｃ毎の遅延プロファイル情報が生成される（ステップＳ３）。
【００２４】
パス検出部１３にて生成された遅延プロファイル情報は、伝播環境推定部１４に通知される。
【００２５】
伝播環境推定部１４においては、まず、パス検出部１３から通知された遅延プロファイル情報が参照され、移動機２０ａ〜２０ｃ毎に、Ｓ／Ｎ比が最大となるパスが検索される（ステップＳ４）。
【００２６】
伝播環境推定部１４においては、遅延プロファイル情報によって示される前回の最大Ｓ／Ｎ比を有するパスの伝播遅延量（Ｄ（ｉ−１））が保持されており、この伝播遅延量（Ｄ（ｉ−１））と、現在の最大Ｓ／Ｎ比を有するパスの伝播遅延量（Ｄ（ｉ））との差分が計算され、最大Ｓ／Ｎ比を有するパスの移動量（Ｄdiff）が算出される（ステップＳ５）。
【００２７】
そして、現在の最大Ｓ／Ｎ比とパスの移動量（Ｄdiff）とが上り信号スケジューラ部１５に通知される。
【００２８】
上り信号スケジューラ部１５においては、まず、現在の最大Ｓ／Ｎ比（Ｌmax）が、所定の閾値（Ｌth）以上であるかどうかが判断され（ステップＳ６）、現在の最大Ｓ／Ｎ比（Ｌmax）が閾値（Ｌth）以上である場合、次に、パスの移動量（Ｄdiff）が所定の閾値（Ｄth）以下であるかどうかが判断される（ステップＳ７）。
【００２９】
そして、パスの移動量（Ｄdiff）が所定の閾値（Ｄth）以下である場合、上り信号スケジューラ部１５において、該当移動機に対して、伝送レートを上げる制御が実施され（ステップＳ８）、そのスケジューリング情報が送信される（ステップＳ９）。
【００３０】
一方、現在の最大Ｓ／Ｎ比（Ｌmax）が閾値（Ｌth）未満である場合や、パスの移動量（Ｄdiff）が所定の閾値（Ｄth）を超える場合は、上り信号スケジューラ部１５において、該当移動機に対して、伝送レートを下げる制御が実施され（ステップＳ１０）、そのスケジューリング情報が送信される。
【図面の簡単な説明】
【００３１】
【図１】本発明の移動通信システムの実施の一形態を示す図であり、（ａ）は全体の構成を示す図、（ｂ）は（ａ）に示した基地局装置の構成を示すブロック図である。
【図２】図１に示した移動通信システムにおける上り信号制御方法を説明するための図である。
【図３】移動通信システムの一例を示す図である。
【符号の説明】
【００３２】
１０    基地局装置
１１    アンテナ
１２    受信部
１３    パス検出部
１４    伝播環境推定部
１５    上り信号スケジューラ部
１６    送信部
２０ａ〜２０ｃ    移動機
３０    セル
【図１】
2008252238.tif 000003
【図２】
2008252238.tif 000004
【図３】
2008252238.tif 000005